(57)【要約】【課題】カバー及び蛍光物質の熱による変質を減少させることができ、蛍光物質の水分の侵入による変質を減少させることができ、ひいては発光ダイオードの寿命及び安定性を増加させることができるパッケージ済み発光ダイオードの作製方法を提供する。【解決手段】基板と、カバーと、を用意し、基板は、第１面と、第２面と、を有し、カバーは、第３面と、第４面と、を有し、第１面と第３面のうちの一つには、溝に囲まれる凸縁が設けられており、カバーは蛍光層を含むステップＡと、第２面に少なくとも一つの発光ダイオード回路を設け、発光ダイオード回路は少なくとも一つの発光ダイオードチップを含むステップＢと、真空中で、基板にカバーを固定し、これにより、溝がカバーと基板とに閉鎖されて密封空間を形成し、発光ダイオード回路が密封空間内に位置するステップＣと、を含む。【選択図】図１
2013538461.tif 000002
【特許請求の範囲】
【請求項１】
基板と、カバーと、を用意し、前記基板は、第１面と、第２面と、を有し、前記カバーは、第３面と、第４面と、を有し、前記第１面と前記第３面のうちの一つには、溝に囲まれる凸縁が設けられており、前記カバーは蛍光層を含むステップＡと、
前記第２面に少なくとも一つの発光ダイオード回路を設け、前記発光ダイオード回路は少なくとも一つの発光ダイオードチップを含むステップＢと、
真空中で、前記基板に前記カバーを固定し、これにより、前記溝が前記カバーと前記基板とに閉鎖されて密封空間を形成し、前記発光ダイオード回路が前記密封空間内に位置するステップＣと、
を含むことを特徴とするパッケージ済み発光ダイオードの作製方法。
【請求項２】
前記カバー自体が前記蛍光層であり、前記カバーの内部に蛍光物質が分布されていることを特徴とする、請求項１に記載のパッケージ済み発光ダイオードの作製方法。
【請求項３】
前記カバーはガラス板であることを特徴とする、請求項２に記載のパッケージ済み発光ダイオードの作製方法。
【請求項４】
前記カバーは、更に、保護層を含み、前記保護層が前記第４面に位置することを特徴とする、請求項１に記載のパッケージ済み発光ダイオードの作製方法。
【請求項５】
前記ステップＣにおいて、前記カバーと前記基板は、光硬化樹脂によって結合することを特徴とする、請求項１に記載のパッケージ済み発光ダイオードの作製方法。
【請求項６】
前記第３面には、凹凸の断面形状を有する皺が形成されていることを特徴とする、請求項１に記載のパッケージ済み発光ダイオードの作製方法。
【請求項７】
前記第４面には、凹凸の断面形状を有する皺が形成されていることを特徴とする、請求項１に記載のパッケージ済み発光ダイオードの作製方法。
【発明の詳細な説明】
【技術分野】
【０００１】
本発明は、パッケージ済み発光ダイオードに関し、特に、パッケージ済み発光ダイオードの作製方法に関するものである。
【背景技術】
【０００２】
従来のパッケージされた発光ダイオードは、シリコーン又はエポキシ樹脂に蛍光パウダーを混入して、シリコーン又はエポキシ樹脂で発光ダイオードの周りを覆う。発光ダイオードからの光線により、蛍光パウダーが激発されて、各種類の顔色、又は白色を発生する。
【０００３】
しかしながら、上記のパッケージされた発光ダイオードは、安定性に劣り寿命が短いという問題があった。また、シリコーン及びエポキシ樹脂に水分が侵入しやすいため、蛍光パウダーが水分と接触して変質しやすい。
一方、発光ダイオードチップは使用時に温度が上昇する。特に、発光ダイオードの照明パワーの増加が強く要請されている現在、発光ダイオードチップは更に多くの熱を発生し、シリコーン、エポキシ樹脂及び蛍光パウダーが、ますます、変質しやすくなってる。このように、パッケージされた発光ダイオードの安定性及び寿命に悪影響が及んでいる。
【発明の概要】
【発明が解決しようとする課題】
【０００４】
本発明の主な目的は、発光ダイオードチップと蛍光層の間に真空の間隔が設けられているため、蛍光層に伝達する熱を減少でき、カバー及び蛍光物質の熱による変質を減少でき、カバーをガラスで作製することにより、水分が蛍光物質に侵入できず、蛍光物質の変質を減少できて、発光ダイオードの寿命を延ばすことができるパッケージ済み発光ダイオードの作製方法を提供することにある。
【課題を解決するための手段】
【０００５】
本発明のパッケージ済み発光ダイオードの作製方法によると、基板と、カバーと、を用意し、基板は、第１面と、第２面と、を有し、カバーは、第３面と、第４面と、を有し、第１面と第３面のうちの一つには、溝に囲まれる凸縁が設けられており、カバーは蛍光層を含むステップＡと、第２面に少なくとも一つの発光ダイオード回路を設け、発光ダイオード回路は少なくとも一つの発光ダイオードチップを含むステップＢと、真空中で、基板にカバーを固定し、これにより、溝がカバーと基板とに閉鎖されて密封空間を形成し、発光ダイオード回路が密封空間内に位置するステップＣと、を含むことを特徴とする。
【０００６】
本発明のパッケージ済み発光ダイオードの作製方法によると、カバー自身は蛍光層であり、カバーの内部に蛍光物質が分布していることを特徴とする。
【０００７】
本発明のパッケージ済み発光ダイオードの作製方法によると、カバーはガラス板であることを特徴とする。
【０００８】
本発明のパッケージ済み発光ダイオードの作製方法によると、カバーは、更に、保護層を含み、保護層が第４面に位置することを特徴とする。
【０００９】
本発明のパッケージ済み発光ダイオードの作製方法によると、ステップＣにおいて、カバーと基板は、光硬化樹脂によって結合することを特徴とする。
【００１０】
本発明のパッケージ済み発光ダイオードの作製方法によると、第３面には、凹凸の断面形状を有する皺が形成されていることを特徴とする。
【００１１】
本発明のパッケージ済み発光ダイオードの作製方法によると、第４面には、凹凸の断面形状を有する皺が形成されていることを特徴とする。
【発明の効果】
【００１２】
本発明のパッケージ済み発光ダイオードの作製方法によれば、発光ダイオードチップと蛍光層の間に真空の間隔が設けられているため、蛍光層に伝達する熱を減少させることができる。
また、カバー及び蛍光物質の熱による変質を減少させることができる。
さらに、カバーをガラスで作製することにより、水分が蛍光物質に侵入できず、蛍光物質の変質を減少させることができる。
以上によって、発光ダイオードの寿命を増加させる効果を有する。
【図面の簡単な説明】
【００１３】
【図１】本発明の一実施例の一部を示す断面図である。
【図２】本発明の一実施例の生産プロセスを示す模式図である。
【図３】本発明の一実施例の生産プロセスを示す模式図である。
【図４】本発明の一実施例の生産プロセスを示す模式図である。
【図５】本発明の一実施例の生産プロセスを示す模式図である。
【図６】本発明の別の実施例を示す断面図である。
【図７】本発明の別の実施例を示す断面図である。
【発明を実施するための形態】
【００１４】
以下、本発明の実施の形態を図面に基づいて説明する。
本発明の一実施例のパッケージ済み発光ダイオードの作製方法により、図１に示したパッケージ済み発光ダイオードを作製することが可能である。
【００１５】
図２乃至図５を参照する。図２乃至図５は本発明の一実施例の生産プロセスを示す模式図である。本発明の一実施例のパッケージ済み発光ダイオードの作製方法は、部品を用意するためのステップＡと、回路を形成するためのステップＢと、真空中で、基板１にカバー２を固定するためのステップＣと、を含む。
【００１６】
ステップＡは、基板１と、カバー２と、を用意する。銅合金又はセラミックで作製された基板１は、第１面１１と、第２面１２と、を有する。カバー２は、第３面２１と、第４面２２と、を有する。第２面１２に凸縁３が形成されている。凸縁３は溝に囲まれる。凸縁３は、基板１に一体成形されてもいいし、別の部品によって基板１に組み付けられてもいいし、基板１に粘着されてもよい。もちろん、凸縁３は第３面２１に位置してもよい。
カバー２は蛍光層を有する。詳細には、カバー２に蛍光物質が混入されている。具体的には、カバー２は、ガラス、アクリル、又は透光性を有するその他の素材で作製される。製造時に、カバーの原料に蛍光物質を混入することにより、成形されたカバー２は蛍光層となる。カバー２の第３面２１又は第４面２２に、凹凸の断面形状を有する皺が形成されていることが好ましい。前記皺によって光線を反射し、又は屈折することにより、集光効果が更に良くなる。
【００１７】
ステップＢは、図３に示すように、第２面１２に発光ダイオード回路４を設ける。発光ダイオード回路４は、少なくとも一つの発光ダイオードチップ４１と、これらの発光ダイオードチップ４１を電気的に接続するリード４２と、を含む。発光ダイオード回路４の形成は、表面実装技術（ＳＭＴ（Ｓｕｒｆａｃｅ  Ｍｏｕｎｔ  Ｔｅｃｈｎｏｌｏｇｙ））を採用することが好ましい。
【００１８】
ステップＣは、真空中で、基板１にカバー２を固定する。これにより、前記溝がカバー２と基板１とに閉鎖されて密封空間を形成し、発光ダイオード回路４が前記密封空間内に位置する。前記密封空間は真空状態にある。また、カバー２と基板１は、光硬化樹脂５によって結合する。また、カバー２がアクリル又はその他の溶融しやすい素材で作製された場合には、高周波によってカバー２と基板１を圧合してもよい。
【００１９】
上記の三つのステップにより、図１に示したパッケージ済み発光ダイオードを作製可能である。発光ダイオードチップ４１がカバー２から分離し、且つ前記密封空間が真空状態にあるため、発光ダイオードチップ４１からの熱がカバー２に容易に伝達されず、これにより、カバー２における蛍光物質が高温によって変質することを回避できる。
また、カバー２における蛍光物質がカバー２の他の素材に覆われているため、蛍光物質が外部に露出せず、蛍光物質と水分の接触による変質を回避できる。
【００２０】
また、カバー２と基板１の間にある前記密封空間が真空状態にあるため、発光ダイオードチップ４１からの光線の、空気との接触によるロスを減少できる。このように、発光効率を高く保持可能である。カバー２には、凹凸の断面形状を有する皺が形成されていることが好ましい。前記皺により、集光効果が更に良くなって、照明効果を高く保持することができる。
【００２１】
図６を参照する。図６は本発明の別の実施例を示す断面図である。カバー２は、更に、保護層２３を含む。保護層２３は第４面２２に位置する。保護層２３により、外部の空気や水分が蛍光層２４の表面にある蛍光物質と接触できないため、蛍光層２４の安定性を保持可能である。
図７を参照する。図７は本発明の別の実施例を示す断面図である。カバー２は、更に、保護層２５を含む。そのため、蛍光層２４が保護層２３と保護層２５に挟まれて、蛍光層２４の安定性を更に増加させることができる。
【００２２】
なお、本発明は前記実施の形態に限定されるものではなく、本発明の趣旨に基づいて種々に変形させることが可能であり、それらを本発明の範囲から排除するものではない。
【符号の説明】
【００２３】
１    基板
２    カバー
３    凸縁
４    発光ダイオード回路
５    光硬化樹脂
１１  第１面
１２  第２面
２１  第３面
２２  第４面
２３  保護層
２４  蛍光層
２５  保護層
４１  発光ダイオードチップ
４２  リード
【図１】
2013538461.tif 000003
【図２】
2013538461.tif 000004
【図３】
2013538461.tif 000005
【図４】
2013538461.tif 000006
【図５】
2013538461.tif 000007
【図６】
2013538461.tif 000008
【図７】
2013538461.tif 000009
【国際調査報告】
2013538461.tif 000010
2013538461.tif 000011
2013538461.tif 000012
2013538461.tif 000013
2013538461.tif 000014
2013538461.tif 000015
2013538461.tif 000016